(57)【要約】【課題】初期状態で文字入力を可能とした利便性の高いユーザインタフェースを実現する。【解決手段】通信機能および文字入力機能を有する携帯電話機１であって、ユーザからの文字入力を受け付ける複数の文字入力キーを有する入力部１０と、いずれかの前記文字入力キーが操作されたことを検出したときに、文字入力アプリケーションを起動させる制御部１１と、前記文字入力アプリケーション上で入力された文字、図形、記号またはこれらの結合を取り込む他のアプリケーション名を列挙する表示部１２と、を備え、ユーザにより前記いずれかの他のアプリケーションが選択されたときに、前記選択された他のアプリケーションが、前記文字入力アプリケーション上で入力された文字、図形、記号またはこれらの結合を取り込んで起動する。【選択図】図１
2010045648.tif 000002
【特許請求の範囲】
【請求項１】
通信機能および文字入力機能を有する携帯電話機であって、
ユーザからの文字入力を受け付ける複数の文字入力キーを有する入力部と、
いずれかの前記文字入力キーが操作されたことを検出したときに、文字入力アプリケーションを起動させる制御部と、
前記文字入力アプリケーション上で入力された文字、図形、記号またはこれらの結合を取り込む他のアプリケーション名を列挙する表示部と、を備え、
ユーザにより前記いずれかの他のアプリケーションが選択されたときに、前記選択された他のアプリケーションが、前記文字入力アプリケーション上で入力された文字、図形、記号またはこれらの結合を取り込んで起動することを特徴とする携帯電話機。
【請求項２】
前記制御部は、いずれかの前記文字入力キーが操作されたことを検出したときに、文字入力アプリケーションを起動させる文字入力モードと、いずれかの前記文字入力キーが操作されたことを検出したときに、電話の発信を可能とする発信モードとのいずれかのモードを、ユーザによる設定に応じて切り替えることを特徴とする請求項１記載の携帯電話機。
【請求項３】
前記表示部は、前記文字入力アプリケーション上で入力された文字、図形、記号またはこれらの結合の文字列長に基づいて、列挙する前記他のアプリケーション名を選定することを特徴とする請求項１または請求項２記載の携帯電話機。
【請求項４】
通信機能および文字入力機能を有する携帯電話機の制御方法であって、
ユーザからの文字入力を受け付けるステップと、
いずれかの前記文字入力キーが操作されたことを検出したときに、文字入力アプリケーションを起動させるステップと、
前記文字入力アプリケーション上で入力された文字、図形、記号またはこれらの結合の文字列長に基づいて、前記文字入力アプリケーション上で入力された文字、図形、記号またはこれらの結合を取り込む他のアプリケーションを選定し、前記選定した他のアプリケーション名を列挙するステップと、
ユーザにより前記いずれかの他のアプリケーションが選択されたときに、前記選択された他のアプリケーションが、前記文字入力アプリケーション上で入力された文字、図形、記号またはこれらの結合を取り込んで起動するステップと、を少なくとも含むことを特徴とする携帯電話機の制御方法。
【請求項５】
いずれかの前記文字入力キーが操作されたことを検出したときに、文字入力アプリケーションを起動させる文字入力モードと、いずれかの前記文字入力キーが操作されたことを検出したときに、電話の発信を可能とする発信モードとのいずれかのモードを、ユーザによる設定に応じて切り替えるステップを更に含むことを特徴とする請求項４記載の携帯電話機の制御方法。
【発明の詳細な説明】
【技術分野】
【０００１】
本発明は、通信機能および文字入力機能を有する携帯電話機および携帯電話機の制御方法に関する。
【背景技術】
【０００２】
従来から知られている携帯電話機は、文字入力機能を備えている。すなわち、ユーザは、携帯電話機にインストールされているソフトウェアを起動し、文字入力キーを操作することによって、上記ソフトウェア上で文字、図形、記号またはこれらの結合を入力することができる。このように文字入力を行なうためのソフトウェアを起動させるためには、ユーザは、キー操作を複数回行なう必要がある。例えば、電子メールを作成するためには、ユーザは、［メールボタン］、［新規作成］、［本文］、そして［文字入力］といったように、複数の画面を遷移してから文字入力を行なうためのソフトウェアを起動し、文字入力を行なう。また、従来から知られている携帯電話機では、文字入力を行なうキーである数字キーを押すと、最初は文字入力にはならず、電話発信モードでの数字（電話番号）入力となる。その状態から文字入力を行なうためには、一旦電源キーを押して、電話発信モードを解除し、文字入力先の機能を起動する必要がある。
【０００３】
特許文献１には、文字入力の操作性を向上させた携帯電話機が開示されている。この携帯電話機では、入力文字が未確定状態におけるカーソルの右移動に対応するキー操作に応答して、直前の入力文字と同じキーに割り当てられている同一キー文字を入力候補として入力候補エリアに表示する。そして、表示された入力候補の文字から一の文字を選択する入力に応答して、選択された文字を次の入力文字として表示する。また、この携帯電話機では、入力文字が未確定状態におけるカーソルの左移動に対応するキー操作に応答して、カーソルの移動先に位置する入力文字と同じキーに割り当てられている同一キー文字を入力候補として入力候補エリアに表示する。そして、表示された入力候補の文字から一の文字を選択する入力に応答して、選択された文字で、カーソルの移動先に位置する入力文字を修正する。
【特許文献１】特開２００６−１９７１９３号公報
【発明の開示】
【発明が解決しようとする課題】
【０００４】
しかしながら、従来の携帯電話機では、実際に文字入力するまでのキー操作回数が多く、ユーザは、直接数字キー（文字入力キー）を押しても文字入力はできないために、文字入力操作ができるまでに手間がかかってしまう。また、文字入力の途中で、使用中のソフトウェアにおいて文字数制限を超過したときは、そのソフトウェアから他のソフトウェアへ切り替えなければならず、利用者の実行したい機能が実行できないことが発生する。例えば、例えば、ＳＭＳ（Short Message Service）のように、入力可能な文字数が制限されている場合、ユーザの文字入力中に文字数超過によって、一旦ＳＭＳを止めて通常のＥメールに切り替えて、再度始めから文字入力をする必要が生じることがある。さらに、携帯電話機から電話発信をする場合、統計的に、発着信履歴やアドレス帳から電話発信を行なうことが多い一方、電話番号を直接入力して電話発信する場合は少ない。このため、ユーザにとっては、従来の携帯電話機におけるユーザインタフェースは、必ずしも最善であるとはいえない。
【０００５】
本発明は、このような事情に鑑みてなされたものであり、初期状態で文字入力を可能とした利便性の高いユーザインタフェースを実現することができる携帯電話機および携帯電話機の制御方法を提供することを目的とする。
【課題を解決するための手段】
【０００６】
（１）上記の目的を達成するために、本発明は、以下のような手段を講じた。すなわち、本発明の携帯電話機は、通信機能および文字入力機能を有する携帯電話機であって、ユーザからの文字入力を受け付ける複数の文字入力キーを有する入力部と、いずれかの前記文字入力キーが操作されたことを検出したときに、文字入力アプリケーションを起動させる制御部と、前記文字入力アプリケーション上で入力された文字、図形、記号またはこれらの結合を取り込む他のアプリケーション名を列挙する表示部と、を備え、ユーザにより前記いずれかの他のアプリケーションが選択されたときに、前記選択された他のアプリケーションが、前記文字入力アプリケーション上で入力された文字、図形、記号またはこれらの結合を取り込んで起動することを特徴としている。
【０００７】
このように、いずれかの前記文字入力キーが操作されたことを検出したときに、文字入力アプリケーションを起動させ、文字入力アプリケーション上で入力された文字、図形、記号またはこれらの結合を取り込む他のアプリケーションが選択されたときに、選択された他のアプリケーションが、文字入力アプリケーション上で入力された文字、図形、記号またはこれらの結合を取り込んで起動するので、ユーザは、初期状態から少ない操作で文字入力を行なうことが可能となる。これにより、利便性の高いユーザインタフェースを有する携帯電話機を実現させることが可能となる。
【０００８】
（２）また、本発明の携帯電話機において、前記制御部は、いずれかの前記文字入力キーが操作されたことを検出したときに、文字入力アプリケーションを起動させる文字入力モードと、いずれかの前記文字入力キーが操作されたことを検出したときに、電話の発信を可能とする発信モードとのいずれかのモードを、ユーザによる設定に応じて切り替えることを特徴としている。
【０００９】
このように、文字入力モードと、発信モードとのいずれかのモードを、ユーザによる設定に応じて切り替えるので、文字入力を優先させるか、または電話発信を優先させるかをユーザの希望に応じて設定し、これらを使い分けることが可能となる。これにより、利便性の高いユーザインタフェースを有する携帯電話機を実現させることが可能となる。
【００１０】
（３）また、本発明の携帯電話機において、前記表示部は、前記文字入力アプリケーション上で入力された文字、図形、記号またはこれらの結合の文字列長に基づいて、列挙する前記他のアプリケーション名を選定することを特徴としている。
【００１１】
このように、文字入力アプリケーション上で入力された文字等の文字列長に基づいて、列挙する他のアプリケーション名を選定するので、その文字列長を取り込むことができるアプリケーション名のみを表示させる一方、その文字列長を取り込むことができないアプリケーションを除外することができる。これにより、利便性の高いユーザインタフェースを有する携帯電話機を実現させることが可能となる。
【００１２】
（４）また、本発明の携帯電話機の制御方法は、通信機能および文字入力機能を有する携帯電話機の制御方法であって、ユーザからの文字入力を受け付けるステップと、いずれかの前記文字入力キーが操作されたことを検出したときに、文字入力アプリケーションを起動させるステップと、前記文字入力アプリケーション上で入力された文字、図形、記号またはこれらの結合の文字列長に基づいて、前記文字入力アプリケーション上で入力された文字、図形、記号またはこれらの結合を取り込む他のアプリケーションを選定し、前記選定した他のアプリケーション名を列挙するステップと、ユーザにより前記いずれかの他のアプリケーションが選択されたときに、前記選択された他のアプリケーションが、前記文字入力アプリケーション上で入力された文字、図形、記号またはこれらの結合を取り込んで起動するステップと、を少なくとも含むことを特徴としている。
【００１３】
このように、いずれかの前記文字入力キーが操作されたことを検出したときに、文字入力アプリケーションを起動させ、文字入力アプリケーション上で入力された文字、図形、記号またはこれらの結合を取り込む他のアプリケーションが選択されたときに、選択された他のアプリケーションが、文字入力アプリケーション上で入力された文字、図形、記号またはこれらの結合を取り込んで起動するので、ユーザは、初期状態から少ない操作で文字入力を行なうことが可能となる。これにより、利便性の高いユーザインタフェースを有する携帯電話機を実現させることが可能となる。また、文字入力アプリケーション上で入力された文字等の文字列長に基づいて、列挙する他のアプリケーション名を選定するので、その文字列長を取り込むことができるアプリケーション名のみを表示させる一方、その文字列長を取り込むことができないアプリケーションを除外することができる。これにより、利便性の高いユーザインタフェースを有する携帯電話機を実現させることが可能となる。
【００１４】
（５）また、本発明の携帯電話機の制御方法は、いずれかの前記文字入力キーが操作されたことを検出したときに、文字入力アプリケーションを起動させる文字入力モードと、いずれかの前記文字入力キーが操作されたことを検出したときに、電話の発信を可能とする発信モードとのいずれかのモードを、ユーザによる設定に応じて切り替えるステップを更に含むことを特徴としている。
【００１５】
このように、文字入力モードと、発信モードとのいずれかのモードを、ユーザによる設定に応じて切り替えるので、文字入力を優先させるか、または電話発信を優先させるかをユーザの希望に応じて設定し、これらを使い分けることが可能となる。これにより、利便性の高いユーザインタフェースを有する携帯電話機を実現させることが可能となる。
【発明の効果】
【００１６】
本発明によれば、ユーザは、初期状態から少ない操作で文字入力を行なうことが可能となる。これにより、利便性の高いユーザインタフェースを有する携帯電話機を実現させることが可能となる。
【発明を実施するための最良の形態】
【００１７】
次に、本発明に係る実施形態について、図面を参照しながら説明する。図１は、本実施形態に係る携帯電話機の概略構成を示すブロック図である。携帯電話機１は、電話発信機能と、文字入力機能とを備えている。具体的には、入力部１０は、ユーザからの文字入力を受け付ける複数の文字入力キーを有する。また、入力部１０は、いわゆるファンクションキーを備えている。制御部１１は、いずれかの文字入力キーが操作されたことを検出したときに、文字入力アプリケーションを起動させる。この文字入力アプリケーションは、ワードプロセッサとしての機能を有し、テキスト、絵文字、図形、記号またはこれらの組合せを入力することが可能である。表示部１２は、文字入力アプリケーション上で入力された文字等を取り込む他のアプリケーション名を列挙する。他のアプリケーションは、例えば、Ｅメール（電子メール）作成ソフト、ＷＥＢブラウザ、アドレス帳などが含まれる。携帯電話機１では、ユーザによりいずれかの他のアプリケーションが選択されたときに、選択された他のアプリケーションが、文字入力アプリケーション上で入力された文字等を取り込んで起動する。
【００１８】
図２は、本実施形態に係る携帯電話機の機能を示す図である。本実施形態に係る携帯電話機は、電話の発信および通話を優先的に行なう発信モードと、文字入力を優先的に行なう文字入力モードとを有しており、これらのうち、どちらのモードを使用するかについて、ユーザが予め設定することができるように構成されている。図２に示すように、初期状態、すなわち、待ち受け状態にあり、いずれかの文字入力キーがユーザにより操作されたときに、ユーザにより発信モードと文字入力モードとのどちらが選択されているかを確認する。発信モードが設定されているときは、図２において、左側に記載されているように、電話の発信が可能である。また、発信モードにおいて、ユーザが電話の発信ではなく、文字入力を希望する場合は、一旦、電源ボタン等を操作して発信準備を解除する。そして、電子メールを送信する場合は、Ｅメールメニューを開き、ＥメールまたはＳＭＳメールのいずれか一方を選択する。選択した後は、ＥメールまたはＳＭＳメールのソフトウェア上で文字入力が可能となる。また、発信モードにおいて、ユーザがＷＥＢの閲覧を希望する場合は、ＷＥＢメニューを開き、ＷＥＢページのトップに遷移すると文字入力が可能となる。
【００１９】
一方、待ち受け状態にあり、いずれかの文字入力キーがユーザにより操作されたときに、文字入力モードが設定されているときは、図２において、右側に記載されているように、直ちに文字入力が可能となる。より具体的には、いずれかの文字入力キーがユーザにより操作されたときに、文字入力アプリケーションが直ちに起動し、ユーザによる文字入力が可能な状態となる。この文字入力アプリケーションにおける文字入力が終了すると、次に、その入力された文字をどのアプリケーションに取り込むかを選択する。図２では、その他を除外すると、５種類のアプリケーションが示されている。具体的には、Ｅメール作成ソフトウェア、ＳＭＳ作成ソフトウェア、氏名入力のアドレス帳、住所入力のアドレス帳およびＷＥＢページの検索窓のソフトウェアである。ユーザは、これらのうち、いずれかのアプリケーションを選択すると、文字入力アプリケーションで入力した文字が選択したアプリケーションに取り込まれてそのアプリケーションが起動する。
【００２０】
次に、以上のように構成された本実施形態に係る携帯電話機の動作について、説明する。ここでは、ユーザによる事前の選択により、文字入力モードが設定されている場合の動作を示す。図３は、本実施形態に係る携帯電話機の動作を示すフローチャートである。まず、初期状態、すなわち、待ち受け画面が表示されている状態で（ステップＳ１）、キーが操作されたときに、文字入力キーが操作されたかどうかを判断する（ステップＳ２）。文字入力キーが操作されていない場合は、従来と同じように、各キー操作に対応する機能の画面を表示する（ステップＳ３）。
【００２１】
一方、ステップＳ２において、文字入力キーが操作された場合は、文字入力画面に遷移する（ステップＳ４）。図４は、画面表示例を示す図である。図３におけるステップＳ４で、文字入力画面に遷移すると、図４の上側に示すような画面表示が行なわれる。この画面表示例では、中央部分に、ユーザが任意に入力できる領域がある。ここでは、固定文字列を予め入力することも可能である。また、入力モードについては、ユーザの選択によって自由に変更することが可能である。さらに、過去の入力履歴から入力する文字列を選択することも可能である。また、画面の右下には、電話の発信を行なう場合に使用する電話発信キーを指定する表示がされている。また、画面の左下には、入力された文字を取り込む他のアプリケーションを設定する画面に遷移するための設定キーを指定する表示がされている。
【００２２】
図３において、ステップＳ４で文字入力が終了し、次に、どのようなキーが操作されたかどうかを判断する（ステップＳ５）。電話発信キーが操作された場合は、電話発信画面に遷移する一方（ステップＳ６）、アプリケーション設定先指定キーが操作された場合は、アプリケーション選択画面に遷移する（ステップＳ７）。図４の下側は、設定先選択画面の例を示す図である。この画面を表示する際に、図３に示すステップＳ４で入力された文字列長が判断され、その長さを有する文字を取り込み可能なアプリケーション名のみを表示する。ここでは、ＳＭＳのアプリケーションは選択できないようになっている。図４では、取り消し線によって示しているが、画面上では、グレーアウトまたは非表示としても良い。また、入力文字列が「住所」であると推測された場合には、アドレス帳（住所）を選択項目の最上部に表示することも可能である。さらに、設定先選択画面を起動する際に、入力内容を保存し、履歴として後で読み込むことも可能である。最後に、図３に示すステップＳ８において、ユーザにより選択されたアプリケーションを起動し、そのアプリケーションに対応する画面が表示される。このとき、上記のように入力された文字列が、アプリケーションに取り込まれる。この際、入力した文字列に加えて、固定文字列を追加することも可能である。例えば、Ｅメールを使用する場合、予め作成した「署名」を保存しておき、Ｅメール作成時にこれを固定文字列として入力文字列に加えることが可能である。
【００２３】
以上説明したように、本実施形態によれば、いずれかの前記文字入力キーが操作されたことを検出したときに、文字入力アプリケーションを起動させ、文字入力アプリケーション上で入力された文字等を取り込む他のアプリケーションが選択されたときに、選択された他のアプリケーションが、文字入力アプリケーション上で入力された文字等を取り込んで起動するので、ユーザは、初期状態から少ない操作で文字入力を行なうことが可能となる。これにより、利便性の高いユーザインタフェースを有する携帯電話機を実現させることが可能となる。
【図面の簡単な説明】
【００２４】
【図１】本実施形態に係る携帯電話機の概略構成を示すブロック図である。
【図２】本実施形態に係る携帯電話機の機能を示す図である。
【図３】本実施形態に係る携帯電話機の動作を示すフローチャートである。
【図４】画面表示例を示す図である。
【符号の説明】
【００２５】
１  携帯電話機
１０  入力部
１１  制御部
１２  表示部
【図１】
2010045648.tif 000003
【図２】
2010045648.tif 000004
【図３】
2010045648.tif 000005
【図４】
2010045648.tif 000006